(57)【要約】【課題】温度が所定温度以上に達したかを判定することができるとともに、所定温度以下になったことを判定することもできる温度管理媒体ユニットを提供する。【解決手段】常温にて液状であり、かつ、所定温度まで冷却すると凝固する乳化液１３と、この乳化液１３を内包する容器１４と、から構成される温度管理媒体１２を複数備えてなる温度管理媒体ユニット１０において、温度管理媒体１２を、それぞれ、容器１４ごとに、乳化液１３としてその起動温度が異なるものを収納し、かつ、互いに離間した状態で配され、少なくとも１つの組をなすようにする。【選択図】図１
2008046013.tif 000002
【特許請求の範囲】
【請求項１】
常温にて液状であり、かつ、所定温度まで冷却すると凝固する乳化液と、該乳化液を内包する容器と、から構成される温度管理媒体を複数備えてなる温度管理媒体ユニットであって、
前記温度管理媒体は、それぞれ、前記容器ごとに、前記乳化液として、その起動温度が異なるものを収納し、かつ、互いに離間した状態で配され、少なくとも１つの組をなしていることを特徴とする温度管理媒体ユニット。
【請求項２】
常温にて液状であり、かつ、所定温度まで冷却すると凝固する乳化液と、該乳化液を内包する容器と、から構成される温度管理媒体を複数備えてなる温度管理媒体ユニットであって、
前記温度管理媒体は、それぞれ、前記容器ごとに、前記乳化液として、その分離温度が異なるものを収納し、かつ、互いに離間した状態で配され、少なくとも１つの組をなしていることを特徴とする温度管理媒体ユニット。
【請求項３】
常温にて液状であり、かつ、所定温度まで冷却すると凝固する乳化液と、該乳化液を内包する容器と、から構成される温度管理媒体を複数備えてなる温度管理媒体ユニットであって、
前記温度管理媒体は、それぞれ、前記容器ごとに、前記乳化液として、その分離温度および起動温度が異なるものを収納し、かつ、互いに離間した状態で配され、少なくとも２つの組をなしていることを特徴とする温度管理媒体ユニット。
【発明の詳細な説明】
【技術分野】
【０００１】
本発明は、物品が一旦、冷蔵温度の雰囲気中に曝され、その後、これより高い温度の雰囲気に曝されたか否かという温度履歴を容易に確認することができる温度管理媒体を備えた温度管理媒体ユニットに関する。
【背景技術】
【０００２】
近年、冷凍あるいは冷蔵した状態で配送される荷物が一段と増加するに伴って、これらの荷物を配達先まで予め決められた温度に保ちながら運搬する宅配便などの配送手段が普及している。このような配送手段を用いて荷物を配送すると、例えば、集荷元の冷凍・冷蔵施設から配送車へ荷物を積み込む時、配送車間で荷物を積み替える時、配送車から荷物を取り出し配達先へ配達する時などに、本来ならば冷凍・冷蔵状態が保たれなければならない荷物が、直射日光による高温雰囲気や室温雰囲気に曝されることがある。
【０００３】
また、無事に冷凍・冷蔵状態が保たれながら配達先に届けられた後も、荷物の冷凍・冷蔵状態が保たれることが求められる。荷物の中身が食品や医薬品である場合、これらの冷凍・冷蔵状態が保たれないと、これらに変質や雑菌の繁殖などが生じて、その品質が損なわれるおそれがある。極端な場合、食品や医薬品の冷凍・冷蔵状態が保たれないと、食中毒や医療事故などを誘発しかねない。このような厳格な温度管理が求められるものとしては、食品や医薬品の他に、化学分野や写真分野で用いられる各種薬品などが挙げられる。
【０００４】
従来、上述のような温度管理が正常に行われているか否かを簡便に確認する方法として、以下に示す方法が提案されている。
例えば、特許文献１には、脂溶性色素を溶解した炭素数７〜１５の高級アルコールの１種または２種以上が、非イオン系界面活性剤および水に分散されてなる乳化液（エマルション）を、密封容器に充填してなる保存温度管理用インジケータが開示されている。この保存温度管理用インジケータは、通常の温度条件下では、外観上は、乳化液の色素の色調が抑えられ、不透明な乳濁色を呈している。一方、この保存温度管理用インジケータが、乳化液が氷結する温度以下に曝されると、一旦、乳化液の全成分が凝固するが、乳化液が再び融解するとき、粗大化した乳化粒子は浮上し、色素の濃い色調を有した油滴または油層が上層へ浮上し、水層と、油滴または油層とに分離する。よって、このような変化が認められた保存温度管理用インジケータを含む包装内の物品は、劣化しているおそれがあるとして使用時に注意を促すことができる。
【０００５】
また、特許文献２には、室温で液状の、保存管理温度を超えると溶融する油性物質を非イオン界面活性剤および水によってエマルション化してなるＯ／Ｗ型エマルション層と、上記油性物質のみを選択的に拡散透過する、油溶性色素をエマルション層と反対面に設けてなる障壁と、油性物質を拡散透過する不透明層とを密封容器に順次設けてなる保存温度管理用インジケータが開示されている。この保存温度管理用インジケータは、Ｏ／Ｗ型エマルション層が、一旦、氷点下にて凍結した後、解凍する際に、水と油性物質とに相分離し、この油性物質のみが障壁を拡散透過して、障壁の上に設けられた油溶性色素を溶かし、さらに油溶性色素の上の不透明層を拡散透過して発色または着色する。これにより、厳格な温度管理を必要とする物品に以上があったことを肉眼で容易に検知することができる。
【０００６】
上述した従来の保存温度管理用インジケータには、以下に示すような課題があった。
従来の保存温度管理用インジケータは、所定温度以上に曝されたことを判定することができるものの、温度が実際に何度に達したかを判定することはできなかった。
また、一方で、従来の保存温度管理用インジケータは、所定温度以下になったことを判定することもできなかった。
【特許文献１】特開昭５７−３７２２７号公報
【特許文献２】特開平５−１４９７９７号公報
【発明の開示】
【発明が解決しようとする課題】
【０００７】
本発明は、前記事情に鑑みてなされたもので、温度は実際に乳化液が凝固した後に、凝固温度よりも高い所定の温度に達したか否かを判定することができること、および／または乳化液の凝固温度以下の温度に保持されていたか否かを判定することができる温度管理媒体ユニットを提供することを目的とする。
【課題を解決するための手段】
【０００８】
本発明の請求項１に係る温度管理媒体ユニットは、常温にて液状であり、かつ、所定温度まで冷却すると凝固する乳化液と、該乳化液を内包する容器と、から構成される温度管理媒体を複数備えてなる温度管理媒体ユニットであって、前記温度管理媒体は、それぞれ、前記容器ごとに、前記乳化液として、その起動温度が異なるものを収納し、かつ、互いに離間した状態で配され、少なくとも１つの組をなしていることを特徴とする。
【０００９】
本発明の請求項２に係る温度管理媒体ユニットは、常温にて液状であり、かつ、所定温度まで冷却すると凝固する乳化液と、該乳化液を内包する容器と、から構成される温度管理媒体を複数備えてなる温度管理媒体ユニットであって、前記温度管理媒体は、それぞれ、前記容器ごとに、前記乳化液として、その分離温度が異なるものを収納し、かつ、互いに離間した状態で配され、少なくとも１つの組をなしていることを特徴とする。
【００１０】
本発明の請求項３に係る温度管理媒体ユニットは、常温にて液状であり、かつ、所定温度まで冷却すると凝固する乳化液と、該乳化液を内包する容器と、から構成される温度管理媒体を複数備えてなる温度管理媒体ユニットであって、前記温度管理媒体は、それぞれ、前記容器ごとに、前記乳化液として、その分離温度および起動温度が異なるものを収納し、かつ、互いに離間した状態で配され、少なくとも２つの組をなしていることを特徴とする。
【発明の効果】
【００１１】
本発明の温度管理媒体ユニットは、常温にて液状であり、かつ、所定温度まで冷却すると凝固する乳化液と、該乳化液を内包する容器と、から構成される温度管理媒体を複数備えてなる温度管理媒体ユニットであって、前記温度管理媒体は、それぞれ、前記容器ごとに、前記乳化液として、その起動温度が異なるものを収納し、かつ、互いに離間した状態で配され、少なくとも１つの組をなしているので、温度管理媒体ユニットが曝された温度以下の起動温度の乳化液が全て凝固するから、乳化液の分離温度よりも高い温度において、温度管理媒体ユニットが曝された温度を容易に判定することができる。したがって、この温度管理媒体ユニットによれば、宅配便などで配送される荷物の温度管理を簡易に行うことができる。
【００１２】
本発明の温度管理媒体ユニットは、常温にて液状であり、かつ、所定温度まで冷却すると凝固する乳化液と、該乳化液を内包する容器と、から構成される温度管理媒体を複数備えてなる温度管理媒体ユニットであって、前記温度管理媒体は、それぞれ、前記容器ごとに、前記乳化液として、その分離温度が異なるものを収納し、かつ、互いに離間した状態で配され、少なくとも１つの組をなしているので、温度管理媒体ユニットが曝された温度以下の分離温度の乳化液が全て相分離するので、温度管理媒体ユニットが曝された温度を容易に判定することができる。したがって、この温度管理媒体ユニットによれば、宅配便などで配送される荷物の温度管理を簡易に行うことができる。
【００１３】
本発明の温度管理媒体ユニットは、常温にて液状であり、かつ、所定温度まで冷却すると凝固する乳化液と、該乳化液を内包する容器と、から構成される温度管理媒体を複数備えてなる温度管理媒体ユニットであって、前記温度管理媒体は、それぞれ、前記容器ごとに、前記乳化液として、その分離温度および起動温度が異なるものを収納し、かつ、互いに離間した状態で配され、少なくとも２つの組をなしているので、温度管理媒体ユニットが曝された温度以下の起動温度の乳化液が全て凝固するから、乳化液の分離温度よりも高い温度において、温度管理媒体ユニットが曝された温度を容易に判定することができる。あるいは、温度管理媒体ユニットが曝された温度以下の分離温度の乳化液が全て相分離するので、温度管理媒体ユニットが曝された温度を容易に判定することができる。したがって、この温度管理媒体ユニットによれば、宅配便などで配送される荷物の温度管理を簡易に行うことができる。
【発明を実施するための最良の形態】
【００１４】
以下、本発明を実施した温度管理媒体ユニットについて詳細に説明する。
【００１５】
（１）第一の実施形態
図１は、本発明の温度管理媒体ユニットの第一の実施形態を示す概略平面図である。
この実施形態の温度管理媒体ユニット１０は、基材１１と、この基材１１の一面１１ａに互いに離間した状態で配された複数の温度管理媒体１２（１２Ａ，１２Ｂ，１２Ｃ，１２Ｄ，１２Ｅ，１２Ｆ）とから概略構成されている。また、この複数の温度管理媒体１２（１２Ａ，１２Ｂ，１２Ｃ，１２Ｄ，１２Ｅ，１２Ｆ）は、それぞれ、常温にて液状であり、かつ、所定温度まで冷却すると凝固する乳化液１３（１３Ａ，１３Ｂ，１３Ｃ，１３Ｄ，１３Ｅ，１３Ｆ）と、この乳化液１３を内包する容器１４（１４Ａ，１４Ｂ，１４Ｃ，１４Ｄ，１４Ｅ，１４Ｆ）とから構成され、容器１４（１４Ａ，１４Ｂ，１４Ｃ，１４Ｄ，１４Ｅ，１４Ｆ）ごとに、起動温度（乳化液１３が凝固する温度）が異なる乳化液１３（１３Ａ，１３Ｂ，１３Ｃ，１３Ｄ，１３Ｅ，１３Ｆ）を収納している。なお、容器１４は、乳化液１３を内包した状態で密封されている。
【００１６】
また、複数の温度管理媒体１２（１２Ａ，１２Ｂ，１２Ｃ，１２Ｄ，１２Ｅ，１２Ｆ）は、乳化液１３（１３Ａ，１３Ｂ，１３Ｃ，１３Ｄ，１３Ｅ，１３Ｆ）の起動温度の順に配された、１つの組をなしている。
すなわち、温度管理媒体ユニット１０では、例えば、温度管理媒体１２Ａの乳化液１３Ａの起動温度が−１０℃、温度管理媒体１２Ｂの乳化液１３Ｂの起動温度が−８℃、温度管理媒体１２Ｃの乳化液１３Ｃの起動温度が−６℃、温度管理媒体１２Ｄの乳化液１３Ｄの起動温度が−４℃、温度管理媒体１２Ｅの乳化液１３Ｅの起動温度が−２℃、温度管理媒体１２Ｆの乳化液１３Ｆの起動温度が０℃となっている。なお、例えば、乳化液２３Ａ〜２３Ｆの分離温度は全て２０℃に調整したものとする。
【００１７】
基材１１としては、特に限定されるものではないが、例えば、ガラス繊維、アルミナ繊維などの無機繊維からなる織布、不織布、マット、紙などまたはこれらを組み合わせたもの、ポリエステル繊維、ポリアミド繊維などの有機繊維からなる織布、不織布、マット、紙などまたはこれらを組み合わせたものや、あるいはこれらに樹脂ワニスを含浸させて成形した複合基材や、ポリアミド系樹脂基材、ポリエステル系樹脂基材、ポリオレフィン系樹脂基材、ポリイミド系樹脂基材、エチレン−ビニルアルコール共重合体基材、ポリビニルアルコール系樹脂基材、ポリ塩化ビニル系樹脂基材、ポリ塩化ビニリデン系樹脂基材、ポリスチレン系樹脂基材、ポリカーボネート系樹脂基材、アクリロニトリルブタジエンスチレン共重合系樹脂基材、ポリエーテルスルホン系樹脂基材などのプラスチック基材などの公知のものから選択して用いられる。これらの中でも、荷物などの対象物の外形に沿って温度管理媒体ユニット１０を貼付することを可能とすることから、基材１１としては、可撓性のフィルム状のものが好ましい。
【００１８】
また、温度管理媒体ユニット１０を容易に荷物などの対象物に貼付するため、基材１１の表面に粘着剤からなる粘着シートが設けられていてもよい。
【００１９】
乳化液１３は、水、油脂およびリン脂質を含む脂質混合物から構成されるエマルションである。この乳化液１３は、水または油脂のいずれか一方が分散媒（連続相）をなし、他方が分散相（不連続相）をなしており、リン脂質を含む脂質混合物が界面活性剤として機能し、水または油脂のいずれか一方が他方に微粒子状に分散している。また、乳化液１３は、分散媒（連続相）が水で、分散相（不連続相）が油脂の場合、水中油滴型（Ｏｉｌ  ｉｎ  Ｗａｔｅｒ型：Ｏ／Ｗ型）エマルションをなし、一方、分散媒（連続相）が油脂で、分散相（不連続相）が水の場合、油中水滴型（Ｗａｔｅｒ  ｉｎ  Ｏｉｌ型：Ｗ／Ｏ型）エマルションをなす。
【００２０】
乳化液１３において、水と油脂の割合（水：油）は、目的とする温度管理媒体１２の起動温度の範囲に応じて適宜調整されるが、５：９５（ｗｔ：ｗｔ）〜９５：５（ｗｔ：ｗｔ）が望ましく、１０：９０（ｗｔ：ｗｔ）〜６０：４０（ｗｔ：ｗｔ）が好ましく、１５：８５（ｗｔ：ｗｔ）〜３０：７０（ｗｔ：ｗｔ）が特に好ましい。
【００２１】
また、乳化液１３の分離温度（乳化液が相分離する温度）は、１種もしくは２種以上の異なる油脂を使用することにより調整される。
【００２２】
乳化液１３を構成する水としては、特に限定されず、如何なる水でも用いられるが、レシチンおよびリゾレシチンへの影響を考慮すると、イオン交換水や蒸留水が好適に用いられる。
【００２３】
油脂としては、融点が０℃以上または０℃以下であり、かつ、室温（約２３℃）付近にて界面活性剤を用いて水とともに乳化液１３を構成し、一旦、所定温度以下、例えば、０℃〜室温以下に曝された後、再び所定温度を超える温度に昇温することにより水と相分離するものが挙げられる。このような油脂としては、例えば、トリアシルグリセロール（ＴＡＧ）、ジアシルグリセロール（ＤＡＧ）、モノアシルグリセロール（ＭＡＧ）などの油脂を主成分とする食用油脂が挙げられる。乳化液１３では、これらの油脂から選択される１種または２種以上が、目的とする温度管理媒体１２の起動温度（乳化液１３が凝固する温度）範囲に応じて適宜用いられる。また、融点が０℃以上の油脂と、融点が０℃以下の油脂とを適宜の割合で混合して用いるか、あるいは、融点が０℃以上の油脂または融点が０℃以下の油脂のいずれか一方を適宜用いることにより、温度管理媒体１２の起動温度範囲を所望の温度範囲に制御することができる。
なお、本発明では、所定温度とは、−６０℃以上、＋２０℃以下の範囲の温度をいう。
【００２４】
また、リン脂質を含む脂質混合物としては、レシチンおよびリゾレシチンを主成分とするものが挙げられる。
【００２５】
レシチンは、乳化液１３において、水または油脂のいずれか一方を他方に微粒子状に分散させるための界面活性剤として機能する。レシチンとしては、下記の一般式（１）で表される大豆レシチン、下記の一般式（５）〜（８）で表される卵黄リン脂質を含む卵黄レシチン、魚介類由来のレシチンなどが挙げられる。
【００２６】
【化１】
2008046013.tif 000003
【００２７】
上記の一般式（１）中、Ｒ１、Ｒ２は飽和および不飽和炭化水素から構成される。また、Ｂは塩基を表している。
例えば、Ｂが下記の式（２）で表される塩基である場合、上記の一般式（１）で表される大豆レシチンはホスファチジルコリン、Ｂが下記の式（３）で表される塩基である場合、上記の一般式（１）で表される大豆レシチンはホスファチジルエタノールアミン、Ｂが下記の式（４）で表される塩基である場合、上記の一般式（１）で表される大豆レシチンはホスファチジルイノシトール、Ｂが水素原子である場合、上記の一般式（１）で表される大豆レシチンはホスファチジン酸である。
【００２８】
【化２】
2008046013.tif 000004
【００２９】
【化３】
2008046013.tif 000005
【００３０】
【化４】
2008046013.tif 000006
【００３１】
【化５】
2008046013.tif 000007
【００３２】
【化６】
2008046013.tif 000008
【００３３】
【化７】
2008046013.tif 000009
【００３４】
【化８】
2008046013.tif 000010
【００３５】
大豆レシチンは、上記の一般式（１）に示すように、２つの脂肪酸基と、１つの塩基を有している。大豆レシチンは天然の乳化剤であり、抗酸化作用、離型作用、分散作用、起泡・消泡作用、保水作用、蛋白質・澱粉との結合作用、チョコレートの粘度低下作用など多岐にわたる性質を兼ね備えている。また、大豆レシチンは、大豆を抽出した大豆粗油を濾過後、約２％の温水を加え攪拌し、ガム状となって油層から分離したものを乾燥することにより得られる。さらに、大豆レシチンは、安価で大量供給が可能であり、精製度合いによって様々な状態で得ることができるという特長を備えているので、使用条件によって種類を選択できる。
【００３６】
卵黄レシチンは、鶏卵の卵黄は水分４８％、蛋白質１６％、脂質３３％からなるが、この脂質中に３０％含まれる成分がリン脂質である。また、卵黄の脂質は中性脂肪６５％、リン脂質３０％、コレステロール４％から構成されている。また卵黄リン脂質は、上記の一般式（５）のホスファチジルコリン（Ｐｈｏｓｐｈａｔｉｄｙｌｃｈｏｌｉｎｅ）７０〜８０％、上記の一般式（６）のホスファチジルエタノールアミン（Ｐｈｏｓｐｈａｔｉｄｙｌｅｔｈａｎｏｌａｍｉｎｅ）１０〜１５％、上記の一般式（７）のスフィンゴミエリン（Ｓｐｈｉｎｇｏｍｙｅｌｉｎ）１〜３％、上記の一般式（８）のリゾホスファチジルコリン（Ｌｙｓｏｐｈｏｓｐｈａｔｉｄｙｌｃｈｏｌｉｎｅ）１〜２％から構成されている。
【００３７】
リゾレシチンは、上記のようなレシチンと同様に、乳化液１３において、水または食用油脂のいずれか一方を他方に微粒子状に分散させるための界面活性剤として機能する。リゾレシチンとしては、上記の一般式（１）で表される大豆レシチン、上記の一般式（５）〜（８）で表されるレシチンなどをリゾ化して、レシチンから脂肪酸が１個取れた構造をなすものが挙げられる。ここで、リゾ化とは、酵素であるＰｈｏｓｐｈｏｌｉｐａｓｅＡ２を用いて、レシチンが持つグリセリン基の第二位の脂肪酸を脱離させることをいう。
【００３８】
また、リゾレシチンは、は天然の乳化剤であり、抗酸化作用、離型作用、分散作用、起泡・消泡作用、保水作用、蛋白質・澱粉との結合作用、チョコレートの粘度低下作用など多岐にわたる性質を兼ね備えている。
【００３９】
乳化液１３において、リン脂質を含む脂質混合物の配合量は、油脂１００質量部に対して、０．１質量部以上、４０質量部以下が好ましく、１質量部以上、２０質量部以下がより好ましい。
【００４０】
リン脂質を含む脂質混合物の配合量が、油脂１００質量部に対して、０．１質量部未満では、乳化し難い。一方、リン脂質を含む脂質混合物の配合量が、油脂１００質量部に対して、４０質量部を超えると、水に油脂およびリン脂質が分散し難くなり、うまく乳化しない。
【００４１】
また、レシチンとリゾレシチンの配合割合は、目的とする温度管理媒体１２の起動温度（乳化液１３の凝固する温度）範囲に応じて適宜調整されるが、２０：８０（ｗｔ：ｗｔ）〜８０：２０（ｗｔ：ｗｔ）が好ましく、７０：３０（ｗｔ：ｗｔ）〜３０：７０（ｗｔ：ｗｔ）がより好ましい。
【００４２】
また、乳化液１３には、その凝固点を所望の温度範囲に調整するために、糖類や水溶性高分子を配合してもよい。糖類や水溶性高分子の種類、配合量などを変えることにより、乳化液１３の凝固点を所望の温度範囲に調整することができる。
【００４３】
糖類としては、例えば、フルクトース、グルコース、ガラクトース、マンノースなどの単糖類、麦芽糖、ショ糖、ラクトース、セルビオースなどの二糖類、スタキオース、ラフィノースなどのオリゴ糖類、ペクチン、ガラクタン、デンプン、アミロース、ブルラン、アラビアガム、ヒアルロン酸、コンドロイチン硫酸ナトリウム、カルボキシメツルキチンなどの多糖類が挙げられる。これらの中でも、凝固点調整の意味から分子量の分かっている、単糖類や二糖類が望ましい。
【００４４】
水溶性高分子としては、例えば、アルギン酸ナトリウム、セルロース誘導体（例えば、メチルセルロース、カルボキシメチルセルロース、ヒドロキシエチルセルロース、ヒドロキシプロピルセルロースなど）、ゼラチン、ポリアクリル酸サミド、ポリオキシエチレンオキサイド、ポリオキシプロピレンオキサイド、ポリビニルアルコール、カルボキシビニルポリマー、ポリビニルピロリドン、ポリビニルピロリドン−酢酸ビニル共重合体、酢酸ビニル−クロトン酸共重合体、ポリアクリル酸ナトリウム、イソブテン−無水マレイン酸共重合体、ビニルメチルエーテル−無水マレイン酸共重合体、無水マレイン酸、ポリアクリルアミド、ポリビニルエーテルなどが挙げられる。水溶性高分子は、重合度が大きくなると粘性が高くなり、乳化が困難となる傾向にあることから、重量平均分子量１００，０００以下のものを使用することが好ましい。
【００４５】
容器１４としては、乳化液１３を収容する部分（空間）を有し、乳化液１３が相分離した様子を光学的に確認できる材質からなるものが好ましく、ガラスやプラスチック、あるいは食して無害な材料が好適に用いられる。食して無害な材料としては、例えば、プルラン、オブラート、ガム、アメなどが挙げられる。その形態としては、例えば管状、板状、フィルム状、球状などが挙げられる。なお、相分離を確認するだけならば、容器１４を、乳化液１３が相分離してなる水相と油相の境界付近のみ透明な材質とし、他は不透明な金属などからなる構成としてもよい。
【００４６】
特に、容器１４として可撓性のフィルム状のものを用いた場合、荷物などの対象物の外形に沿って温度管理媒体ユニット１０を貼付することができるばかりでなく、温度管理媒体ユニット１０に外力が加えられた際に容器１４自体が柔軟に変形してその影響を回避することができるので望ましい。
【００４７】
また、乳化液１３の相分離によって、容器１４内に収容されている液体の体積が変動してもその影響を受けないようにするために、例えば、乳化液１３とともに空気や不活性ガスなどの気体を容器１４内に封入しておいてもよい。
【００４８】
この実施形態の温度管理媒体ユニット１０は、複数の温度管理媒体１２（１２Ａ，１２Ｂ，１２Ｃ，１２Ｄ，１２Ｅ，１２Ｆ）が、乳化液１３（１３Ａ，１３Ｂ，１３Ｃ，１３Ｄ，１３Ｅ，１３Ｆ）の起動温度の順に配されているから、温度管理媒体ユニット１０が曝された温度以下の起動温度の乳化液１３が全て凝固するので、乳化液１３の分離温度よりも高い温度において、温度管理媒体ユニット１０が曝された温度を容易に判定することができる。すなわち、例えば、温度管理媒体ユニット１０が−４℃の温度に曝された場合、乳化液１３Ｄ，１３Ｅ，１３Ｆが起動するので、温度管理媒体ユニット１０を乳化液１３の分離温度２０℃以上の環境で確認すれば、起動温度が−４℃の乳化液１３Ｄ、起動温度が−２℃の乳化液１３Ｅ、および、起動温度が０℃の乳化液１３Ｆが分離し、温度管理媒体ユニット１０が−４℃の温度に曝されたことは一目瞭然となる。
したがって、この温度管理媒体ユニット１０によれば、宅配便などで配送される荷物の温度管理を簡易に行うことができる。
【００４９】
この実施形態の温度管理媒体ユニット１０では、乳化液１３が、界面活性剤のレシチンおよびリゾレシチンを含み、レシチンは親油系界面活性剤として機能し、リゾレシチンは親水系界面活性剤として機能し、乳化させたときに、リゾレシチンによって、より細かい粒子が形成され、界面に界面活性剤が隙間なく配列することから、１年以上室温にて安定に保存することができる。すなわち、温度管理媒体１２は、１年以上室温保存しても、乳化液１３が相分離することなく、安定に分散状態（エマルションの形態）を保つことができるので、予め大量に生産しておき、必要に応じて適宜の数を用いることができる。
また、乳化液１３を３５〜４０℃の雰囲気下に３ヶ月曝し、熱加速試験を行っても、変化は見られない。また、乳化液１３は、約２３℃の雰囲気下に６ヶ月曝しても、変化することなく安定である。
【００５０】
また、乳化液１３は、人体に悪影響を及ぼすことのない、水、油脂、リン脂質を含む脂質混合物から構成されているから、意識せずに乳化液１３が皮膚、食品、薬品に付着し、その結果、乳化液１３が体内に入っても、健康を害することはない。よって、温度管理媒体ユニット１０は、食品や薬品などのパッケージに貼付したり、あるいは同梱して用いても、事故が発生するおそれがないことから、安全性が極めて高い。よって、本発明は、従来使用するのが難しかった分野も含めて幅広い分野において活用可能であり、かつ、包装を必ずしも要しないことから低コスト化も図れる温度管理媒体ユニット１０をもたらす。
【００５１】
また、油脂と、リン脂質を含む脂質混合物との組合せを適宜選択することにより、乳化液１３を高粘度物の形態とすることもできる。このようにすれば、乳化液１３を容器１４などに内包させる必要がないので、乳化液１３のパッケージングなどが不要になることから、温度管理媒体ユニット１０を使用する際の自由度が向上する。
【００５２】
次に、この実施形態の温度管理媒体の製造方法の一例を説明する。
まず、水にリゾレシチンを溶解して、リゾレシチンの水溶液を調製する。
次いで、油脂にレシチンを溶解して、油脂混合液を調整する。なお、油脂を２種以上用いる場合、予めこれらを混合した後、この油脂の混合物にレシチンを溶解する。
次いで、攪拌しながら、リゾレシチンの水溶液に油脂混合液を少しずつ加えて、水または油脂のいずれか一方を他方に微粒子状に分散させて、乳化液１３を得る。
次いで、容器１４内に乳化液１３を充填して、容器１４を密閉し、温度管理媒体１２を得る。なお、この際、容器１４の乳化液１３で満たされていない部分に、空気などの気体を封入してもよい。
この工程を繰り返して、凝固温度の異なる乳化液１３が容器１４に充填された温度管理媒体１２を複数作製する。
次いで、この複数の温度管理媒体１２を、凝固温度の順に、互いに離間した状態で基材１１の一面１１ａに、接着剤などにより固定し、温度管理媒体ユニット１０を得る。
【００５３】
なお、この実施形態では、基材１１の一面１１ａに複数の温度管理媒体１２を配した温度管理媒体ユニット１０を例示したが、本発明の温度管理媒体ユニットはこれに限定されない。本発明の温度管理媒体ユニットにあっては、基材が用いられていなくてもよく、複数の乳化液が互いに離間した状態で配されていれば、如何なる形態であってもよい。
また、この実施形態では、複数の温度管理媒体１２が、乳化液１３の起動温度の順に配された、１つの組をなしている温度管理媒体ユニット１０を例示したが、本発明の温度管理媒体ユニットはこれに限定されない。本発明の温度管理媒体ユニットにあっては、複数の温度管理媒体が、乳化液の起動温度の順に配された、２つ以上の組をなしていてもよい。また、複数の温度管理媒体が、乳化液の起動温度とは無関係に、互いに離間した状態で配された１つ以上の組をなしていてもよい。
【００５４】
（２）第二の実施形態
図２は、本発明の温度管理媒体ユニットの第二の実施形態を示す概略平面図である。
この実施形態の温度管理媒体ユニット２０は、基材２１と、この基材２１の一面２１ａに互いに離間した状態で配された複数の温度管理媒体２２（２２Ａ，２２Ｂ，２２Ｃ，２２Ｄ，２２Ｅ，２２Ｆ）とから概略構成されている。また、この複数の温度管理媒体２２（２２Ａ，２２Ｂ，２２Ｃ，２２Ｄ，２２Ｅ，２２Ｆ）は、それぞれ、常温にて液状であり、かつ、所定温度まで冷却すると凝固する乳化液２３（２３Ａ，２３Ｂ，２３Ｃ，２３Ｄ，２３Ｅ，２３Ｆ）と、この乳化液２３を内包する容器２４（２４Ａ，２４Ｂ，２４Ｃ，２４Ｄ，２４Ｅ，２４Ｆ）とから構成され、容器２４（２４Ａ，２４Ｂ，２４Ｃ，２４Ｄ，２４Ｅ，２４Ｆ）ごとに、分離温度（乳化液２３が相分離する温度）が異なる乳化液２３（２３Ａ，２３Ｂ，２３Ｃ，２３Ｄ，２３Ｅ，２３Ｆ）を収納している。なお、容器２４は、乳化液２３を内包した状態で密封されている。
【００５５】
さらに、複数の温度管理媒体２２（２２Ａ，２２Ｂ，２２Ｃ，２２Ｄ，２２Ｅ，２２Ｆ）は、乳化液２３（２３Ａ，２３Ｂ，２３Ｃ，２３Ｄ，２３Ｅ，２３Ｆ）の分離温度の順に配された、１つの組をなしている。
すなわち、温度管理媒体ユニット２０では、例えば、温度管理媒体２２Ａの乳化液２３Ａの分離温度が２０℃、温度管理媒体２２Ｂの乳化液２３Ｂの分離温度が１２℃、温度管理媒体２２Ｃの乳化液２３Ｃの分離温度が１４℃、温度管理媒体２２Ｄの乳化液２３Ｄの分離温度が１６℃、温度管理媒体２２Ｅの乳化液２３Ｅの分離温度が１８℃、温度管理媒体２２Ｆの乳化液２３Ｆの分離温度が２０℃となっている。なお、例えば、乳化液２３Ａ〜２３Ｆの起動温度は全て１℃に調整されたものとする。
【００５６】
基材２１としては、上記の基材１１と同様のものが用いられる。
乳化液２３としては、上記の乳化液１３と同様のものが用いられる。
容器２４としては、上記の容器１４と同様のものが用いられる。
【００５７】
この実施形態の温度管理媒体ユニット２０は、容器２４内における乳化液２３の相分離を利用したものである。すなわち、温度管理媒体２２は、室温（約２３℃）近傍にて乳化液２３が安定かつ均一な白色の液体であり、乳化液２３が所定温度以下、例えば、０℃〜室温以下にて凝固し、乳化液２３が再び所定温度を超える温度（乳化液２３を構成する油脂、レシチンおよびリゾレシチンの融点を超える温度）に昇温することにより相分離して、透明な水相と、不透明な油相とに相分離して、一旦、相分離したら二度と元の乳化液２３には戻らない（非可逆）ことを利用したものである。このように相分離した状態を、例えば目視やセンサにより光学的に識別することで、この温度管理媒体ユニット２０が貼付された荷物が、設定した以上の高温に曝されたか否かを判別できる。しかも、乳化液２３の相分離は非可逆であるから、温度管理媒体ユニット２０が荷物から取り外されない限り、所定の温度以上の環境に曝されたことを隠すことはできない。
【００５８】
また、この温度管理媒体ユニット２０は、複数の温度管理媒体２２（２２Ａ，２２Ｂ，２２Ｃ，２２Ｄ，２２Ｅ，２２Ｆ）が、乳化液２３（２３Ａ，２３Ｂ，２３Ｃ，２３Ｄ，２３Ｅ，２３Ｆ）の分離温度の順に配されているから、温度管理媒体ユニット２０が曝された温度以下の分離温度の乳化液２３が全て相分離するので、温度管理媒体ユニット２０が曝された温度を容易に判定することができる。すなわち、例えば、温度管理媒体ユニット２０が１４℃の温度に曝された場合、分離温度が１０℃の乳化液２３Ａ、分離温度が１２℃の乳化液２３Ｂ、および、分離温度が１４℃の乳化液２３Ｃが相分離するので、温度管理媒体ユニット２０が１４℃の温度に曝されたことは一目瞭然となる。
したがって、この温度管理媒体ユニット２０によれば、宅配便などで配送される荷物の温度管理を簡易に行うことができる。
【００５９】
また、相分離後に透明となる水相の性質を利用する技術としては、目視あるいはセンサで水相を確認する際に、水相の向こう側に識別記号や文字を配置してその下地の情報を読み取ったり、または鏡面を設けることによって反射光を捉えて識別することで、相分離が生じたか否かを正確にかつ定量的に確認することも可能である。すなわち、乳化液２３の分離温度を表す文字を下地に記載しておけば、乳化液２３が相分離すると、透明な水相にこの文字が浮かび上がり、温度管理媒体ユニット２０が何度に達したかを一目で確認することもできる。
【００６０】
なお、この実施形態では、基材２１の一面２１ａに複数の温度管理媒体２２を配した温度管理媒体ユニット２０を例示したが、本発明の温度管理媒体ユニットはこれに限定されない。本発明の温度管理媒体ユニットにあっては、基材が用いられていなくてもよく、複数の温度管理媒体が互いに離間した状態で配されていれば、如何なる形態であってもよい。
また、この実施形態では、複数の温度管理媒体２２が、乳化液２３の分離温度の順に配された、１つの組をなしている温度管理媒体ユニット２０を例示したが、本発明の温度管理媒体ユニットはこれに限定されない。本発明の温度管理媒体ユニットにあっては、複数の温度管理媒体が、乳化液の分離温度の順に配された、２つ以上の組をなしていてもよい。また、複数の温度管理媒体が、乳化液の分離温度とは無関係に、互いに離間した状態で配された１つ以上の組をなしていてもよい。
【００６１】
（３）第三の実施形態
図３は、本発明の温度管理媒体ユニットの第三の実施形態を示す概略平面図である。
この実施形態の温度管理媒体ユニット３０は、基材３１と、この基材３１の一面３１ａに互いに離間した状態で配された複数の温度管理媒体３２Ａ〜３２Ｆ，３５Ａ〜３５Ｆ，３８Ａ〜３８Ｆとから概略構成されている。また、この複数の温度管理媒体３２Ａ〜３２Ｆ，３５Ａ〜３５Ｆ，３８Ａ〜３８Ｆは、それぞれ、常温にて液状で、かつ、所定温度まで冷却すると凝固する乳化液３３Ａ〜３３Ｆ，３６Ａ〜３６Ｆ，３９Ａ〜３９Ｆと、この乳化液３３Ａ〜３３Ｆ，３６Ａ〜３６Ｆ，３９Ａ〜３９Ｆを内包する容器３４Ａ〜３４Ｆ，３７Ａ〜３７Ｆ，４０Ａ〜４０Ｆとから構成され、容器３４Ａ〜３４Ｆ，３７Ａ〜３７Ｆ，４０Ａ〜４０Ｆごとに、分離温度（乳化液３３Ａ〜３３Ｆ，３６Ａ〜３６Ｆ，３９Ａ〜３９Ｆが相分離する温度）および起動温度（乳化液３３Ａ〜３３Ｆ，３６Ａ〜３６Ｆ，３９Ａ〜３９Ｆが凝固する温度）が異なる乳化液３３Ａ〜３３Ｆ，３６Ａ〜３６Ｆ，３９Ａ〜３９Ｆを収納している。なお、容器３４Ａ〜３４Ｆ，３７Ａ〜３７Ｆ，４０Ａ〜４０Ｆは、乳化液３３Ａ〜３３Ｆ，３６Ａ〜３６Ｆ，３９Ａ〜３９Ｆを内包した状態で密封されている。
【００６２】
また、複数の温度管理媒体３２Ａ〜３２Ｆ，３５Ａ〜３５Ｆ，３８Ａ〜３８Ｆは、乳化液３３Ａ〜３３Ｆ，３６Ａ〜３６Ｆ，３９Ａ〜３９Ｆの分離温度および起動温度の順に配された、３つの組をなしている。
すなわち、温度管理媒体ユニット３０では、例えば、温度管理媒体３２Ａの乳化液３３Ａの分離温度が１０℃、温度管理媒体３２Ｂの乳化液３３Ｂの分離温度が１２℃、温度管理媒体３２Ｃの乳化液３３Ｃの分離温度が１４℃、温度管理媒体３２Ｄの乳化液３３Ｄの分離温度が１６℃、温度管理媒体３２Ｅの乳化液３３Ｅの分離温度が１８℃、温度管理媒体３２Ｆの乳化液３３Ｆの分離温度が２０℃となっている。
同様に、温度管理媒体３５Ａの乳化液３６Ａの分離温度が１０℃、温度管理媒体３５Ｂの乳化液３６Ｂの分離温度が１２℃、温度管理媒体３５Ｃの乳化液３６Ｃの分離温度が１４℃、温度管理媒体３５Ｄの乳化液３６Ｄの分離温度が１６℃、温度管理媒体３５Ｅの乳化液３６Ｅの分離温度が１８℃、温度管理媒体３５Ｆの乳化液３６Ｆの分離温度が２０℃となっている。
同様に、温度管理媒体３８Ａの乳化液３９Ａの分離温度が１０℃、温度管理媒体３８Ｂの乳化液３９Ｂの分離温度が１２℃、温度管理媒体３８Ｃの乳化液３９Ｃの分離温度が１４℃、温度管理媒体３８Ｄの乳化液３９Ｄの分離温度が１６℃、温度管理媒体３８Ｅの乳化液３９Ｅの分離温度が１８℃、温度管理媒体３８Ｆの乳化液３９Ｆの分離温度が２０℃となっている。
【００６３】
さらに、温度管理媒体ユニット３０では、例えば、温度管理媒体３２Ａの乳化液３３Ａの起動温度が−４℃、温度管理媒体３５Ａの乳化液３６Ａの起動温度が−２℃、温度管理媒体３８Ａの乳化液３９Ａの起動温度が０℃となっている。
同様に、温度管理媒体３２Ｂの乳化液３３Ｂの起動温度が−４℃、温度管理媒体３５Ｂの乳化液３６Ｂの起動温度が−２℃、温度管理媒体３８Ｂの乳化液３９Ｂの起動温度が０℃となっている。
同様に、温度管理媒体３２Ｃの乳化液３３Ｃの起動温度が−４℃、温度管理媒体３５Ｃの乳化液３６Ｃの起動温度が−２℃、温度管理媒体３８Ｃの乳化液３９Ｃの起動温度が０℃となっている。
同様に、温度管理媒体３２Ｄの乳化液３３Ｄの起動温度が−４℃、温度管理媒体３５Ｄの乳化液３６Ｄの起動温度が−２℃、温度管理媒体３８Ｄの乳化液３９Ｄの起動温度が０℃となっている。
同様に、温度管理媒体３２Ｅの乳化液３３Ｅの起動温度が−４℃、温度管理媒体３５Ｅの乳化液３６Ｅの起動温度が−２℃、温度管理媒体３８Ｅの乳化液３９Ｅの起動温度が０℃となっている。
同様に、温度管理媒体３２Ｆの乳化液３３Ｆの起動温度が−４℃、温度管理媒体３５Ｆの乳化液３６Ｆの起動温度が−２℃、温度管理媒体３８Ｆの乳化液３９Ｆの起動温度が０℃となっている。
【００６４】
基材３１としては、上記の基材１１と同様のものが用いられる。
乳化液３３Ａ〜３３Ｆ，３６Ａ〜３６Ｆ，３９Ａ〜３９Ｆとしては、上記の乳化液１３と同様のものが用いられる。
容器３４Ａ〜３４Ｆ，３７Ａ〜３７Ｆ，４０Ａ〜４０Ｆとしては、上記の容器１４と同様のものが用いられる。
【００６５】
この実施形態の温度管理媒体ユニット３０は、上述の温度管理媒体ユニット１０および温度管理媒体ユニット２０の機能を兼ね備えたものとなる。すなわち、使用方法に応じて、温度管理媒体ユニット３０が曝された、０℃以下、または、０℃以上の温度を容易に判定することができる。
【００６６】
なお、この実施形態では、基材３１の一面３１ａに複数の温度管理媒体３２Ａ〜３２Ｆ，３５Ａ〜３５Ｆ，３８Ａ〜３８Ｆを配した温度管理媒体ユニット３０を例示したが、本発明の温度管理媒体ユニットはこれに限定されない。本発明の温度管理媒体ユニットにあっては、基材が用いられていなくてもよく、複数の温度管理媒体が互いに離間した状態で配されていれば、如何なる形態であってもよい。
また、この実施形態では、複数の温度管理媒体３２Ａ〜３２Ｆ，３５Ａ〜３５Ｆ，３８Ａ〜３８Ｆが、乳化液３３Ａ〜３３Ｆ，３６Ａ〜３６Ｆ，３９Ａ〜３９Ｆの起動温度の順に配された６つの組と、分離温度の順に配された３つの組をなしている温度管理媒体ユニット３０を例示したが、本発明の温度管理媒体ユニットはこれに限定されない。本発明の温度管理媒体ユニットにあっては、複数の温度管理媒体が、乳化液の起動温度およびの順に配された、２つ以上の組をなしていればよい。また、複数の温度管理媒体が、乳化液の起動温度および分離温度とは無関係に、互いに離間した状態で配された２つ以上の組をなしていてもよい。
【００６７】
（４）第四の実施形態
図４は、本発明の温度管理媒体ユニットの第四の実施形態を示す概略平面図である。
この実施形態の温度管理媒体ユニット５０は、基材５１と、この基材５１の一面５１ａに互いに離間した状態で配された複数の温度管理媒体５２Ａ〜５２Ｆ，５５Ａ〜５５Ｆ，５８Ａ〜５８Ｆとから概略構成されている。また、この複数の温度管理媒体５２Ａ〜５２Ｆ，５５Ａ〜５５Ｆ，５８Ａ〜５８Ｆは、それぞれ、常温にて液状であり、かつ、所定温度まで冷却すると凝固する乳化液５３Ａ〜５３Ｆ，５６Ａ〜５６Ｆ，５９Ａ〜５９Ｆと、この乳化液５３Ａ〜５３Ｆ，５６Ａ〜５６Ｆ，５９Ａ〜５９Ｆを内包する容器５４Ａ〜５４Ｆ，５７Ａ〜５７Ｆ，６０Ａ〜６０Ｆとから構成され、容器５４Ａ〜５４Ｆ，５７Ａ〜５７Ｆ，６０Ａ〜６０Ｆごとに、分離温度（乳化液５３Ａ〜５３Ｆ，５６Ａ〜５６Ｆ，５９Ａ〜５９Ｆが相分離する温度）が異なる５３Ａ〜５３Ｆ，５６Ａ〜５６Ｆ，５９Ａ〜５９Ｆを収納している。なお、容器５４Ａ〜５４Ｆ，５７Ａ〜５７Ｆ，６０Ａ〜６０Ｆは、乳化液５３Ａ〜５３Ｆ，５６Ａ〜５６Ｆ，５９Ａ〜５９Ｆを内包した状態で密封されている。
【００６８】
基材５１としては、上記の基材１１と同様のものが用いられる。
乳化液５３Ａ〜５３Ｆ，５６Ａ〜５６Ｆ，５９Ａ〜５９Ｆとしては、上記の乳化液１３と同様のものが用いられる。
容器５４Ａ〜５４Ｆ，５７Ａ〜５７Ｆ，６０Ａ〜６０Ｆとしては、上記の容器１４と同様のものが用いられる。
【００６９】
また、複数の温度管理媒体５２Ａ〜５２Ｆ，５５Ａ〜５５Ｆ，５８Ａ〜５８Ｆは、乳化液５３Ａ〜５３Ｆ，５６Ａ〜５６Ｆ，５９Ａ〜５９Ｆの分離温度の順に配された、３つの組をなしている。
すなわち、温度管理媒体ユニット５０では、例えば、温度管理媒体５２Ａの乳化液５３Ａの分離温度が１０℃、温度管理媒体５２Ｂの乳化液５３Ｂの分離温度が１２℃、温度管理媒体５２Ｃの乳化液５３Ｃの分離温度が１４℃、温度管理媒体５２Ｄの乳化液５３Ｄの分離温度が１６℃、温度管理媒体５２Ｅの乳化液５３Ｅの分離温度が１８℃、温度管理媒体５２Ｆの乳化液５３Ｆの分離温度が２０℃となっている。
同様に、温度管理媒体５５Ａの乳化液５６Ａの分離温度が１０℃、温度管理媒体５５Ｂの乳化液５６Ｂの分離温度が１２℃、温度管理媒体５５Ｃの乳化液５６Ｃの分離温度が１４℃、温度管理媒体５５Ｄの乳化液５６Ｄの分離温度が１６℃、温度管理媒体５５Ｅの乳化液５６Ｅの分離温度が１８℃、温度管理媒体５５Ｆの乳化液５６Ｆの分離温度が２０℃となっている。
同様に、温度管理媒体５８Ａの乳化液５９Ａの分離温度が１０℃、温度管理媒体５８Ｂの乳化液５９Ｂの分離温度が１２℃、温度管理媒体５８Ｃの乳化液５９Ｃの分離温度が１４℃、温度管理媒体５８Ｄの乳化液５９Ｄの分離温度が１６℃、温度管理媒体５８Ｅの乳化液５９Ｅの分離温度が１８℃、温度管理媒体５８Ｆの乳化液５９Ｆの分離温度が２０℃となっている。
なお、例えば、乳化液５２Ａ〜５２Ｆ，５５Ａ〜５５Ｆ，５８Ａ〜５８Ｆの起動温度は全て０℃に調整したものとする。
【００７０】
さらに、乳化液５３Ａ〜５３Ｆの量をＸｍＬ、乳化液５３Ａ〜５３Ｆが分離温度に曝された際に相分離するまでに要する時間をＹ時間（秒、分）とし、乳化液５６Ａ〜５６Ｆの量を２ＸｍＬとすれば、乳化液５６Ａ〜５６Ｆが相分離するまでに要する時間は２Ｙ時間（秒、分）となり、乳化液５９Ａ〜５９Ｆの量を４ＸｍＬとすれば、乳化液５９Ａ〜５９Ｆが相分離するまでに要する時間は４Ｙ時間（秒、分）となる。これは、固体が溶けるまでの時間が固体の体積に比例することを利用したものである。また、この乳化液５２Ａ〜５２Ｆ，５５Ａ〜５５Ｆ，５８Ａ〜５８Ｆが起動するまでに要する時間は、これらが凝固する時間に相当する。したがって、これにより、温度管理媒体ユニット５０が、０℃以下の温度に、どの位の時間曝されていたのかを判定することができる。
すなわち、温度管理媒体ユニット５０を、０℃以下の温度に曝した後、所定温度に曝した際に、例えば、乳化液５３Ａ、５６Ａ、５３Ｂ、５６Ｂが相分離していた場合、温度管理媒体ユニット５０は１２℃の温度に曝されたこと、および、０℃以下の温度に２Ｙ時間曝されたことを判定することができる。
【００７１】
（５）第五の実施形態
図５は、本発明の温度管理媒体ユニットの第五の実施形態を示す概略平面図である。
この実施形態の温度管理媒体ユニット７０は、基材７１と、この基材７１の一面７１ａに互いに離間した状態で、同心円状に配された複数の温度管理媒体７２（７２Ａ，７２Ｂ，７２Ｃ，７２Ｄ，７２Ｅ，７２Ｆ）とから概略構成されている。また、この複数の温度管理媒体７２（７２Ａ，７２Ｂ，７２Ｃ，７２Ｄ，７２Ｅ，７２Ｆ）は、それぞれ、常温にて液状であり、かつ、所定温度まで冷却すると凝固する乳化液７３（７３Ａ，７３Ｂ，７３Ｃ，７３Ｄ，７３Ｅ，７３Ｆ）と、この乳化液７３を内包する容器７４（７４Ａ，７４Ｂ，７４Ｃ，７４Ｄ，７４Ｅ，７４Ｆ）とから構成され、容器７４（７４Ａ，７４Ｂ，７４Ｃ，７４Ｄ，７４Ｅ，７４Ｆ）ごとに、分離温度または起動温度が異なる乳化液７３（７３Ａ，７３Ｂ，７３Ｃ，７３Ｄ，７３Ｅ，７３Ｆ）を収納している。なお、容器７４は、乳化液７３を内包した状態で密封されている。
【００７２】
また、複数の温度管理媒体７２（７２Ａ，７２Ｂ，７２Ｃ，７２Ｄ，７２Ｅ，７２Ｆ）は、乳化液７３（７３Ａ，７３Ｂ，７３Ｃ，７３Ｄ，７３Ｅ，７３Ｆ）の分離温度または起動温度の順に配された、１つの組をなしている。
すなわち、温度管理媒体ユニット７０では、例えば、温度管理媒体７２Ａの乳化液７３Ａの分離温度が１０℃、温度管理媒体７２Ｂの乳化液７３Ｂの分離温度が１２℃、温度管理媒体７２Ｃの乳化液７３Ｃの分離温度が１４℃、温度管理媒体７２Ｄの乳化液７３Ｄの分離温度が１６℃、温度管理媒体７２Ｅの乳化液７３Ｅの分離温度が１８℃、温度管理媒体７２Ｆの乳化液７３Ｆの分離温度が２０℃となっている。なお、例えば、乳化液７３Ａ〜７３Ｆの起動温度は全て１℃に調整されたものとする。
【００７３】
基材７１としては、上記の基材１１と同様のものが用いられる。
乳化液７３としては、上記の乳化液１３と同様のものが用いられる。
容器７４としては、上記の容器１４と同様のものが用いられる。
【００７４】
この実施形態の温度管理媒体ユニット７０は、複数の温度管理媒体７２（７２Ａ，７２Ｂ，７２Ｃ，７２Ｄ，７２Ｅ，７２Ｆ）が、乳化液７３（７３Ａ，７３Ｂ，７３Ｃ，７３Ｄ，７３Ｅ，７３Ｆ）の分離温度の順に配されているから、起動した温度管理媒体ユニット７０が曝された温度以下の分離温度の乳化液７３が全て相分離するので、温度管理媒体ユニット７０が曝された温度を容易に判定することができる。すなわち、例えば、温度管理媒体ユニット７０が１４℃の温度に曝された場合、分離温度が１０℃の乳化液７３Ａ、分離温度が１２℃の乳化液７３Ｂ、および、分離温度が１４℃の乳化液７３Ｃが相分離するので、温度管理媒体ユニット７０が１４℃の温度に曝されたことは一目瞭然となる。
したがって、この温度管理媒体ユニット７０によれば、宅配便などで配送される荷物の温度管理を簡易に行うことができる。
【産業上の利用可能性】
【００７５】
本発明の温度管理媒体は、荷物の表面に貼付する従来の利用形態の他に、食品や薬品と同梱して用いる新たな形態にも利用できることから、食品や薬品の温度管理の状況を把握することにも利用できる。
【図面の簡単な説明】
【００７６】
【図１】本発明の温度管理媒体ユニットの第一の実施形態を示す概略平面図である。
【図２】本発明の温度管理媒体ユニットの第二の実施形態を示す概略平面図である。
【図３】本発明の温度管理媒体ユニットの第三の実施形態を示す概略平面図である。
【図４】本発明の温度管理媒体ユニットの第四の実施形態を示す概略平面図である。
【図５】本発明の温度管理媒体ユニットの第五の実施形態を示す概略平面図である。
【符号の説明】
【００７７】
１０・・・温度管理媒体ユニット、１１・・・基材、１２・・・温度管理媒体、１３・・・乳化液、１４・・・容器。
【図１】
2008046013.tif 000011
【図２】
2008046013.tif 000012
【図３】
2008046013.tif 000013
【図４】
2008046013.tif 000014
【図５】
2008046013.tif 000015